【手続補正書】
【提出日】平成19年11月7日(2007.11.7)
【手続補正１】
【補正対象書類名】明細書
【補正対象項目名】特許請求の範囲
【補正方法】変更
【補正の内容】
【特許請求の範囲】
【請求項１】  複数のコンピュータノードと、１つまたは複数の記憶デバイス内に含まれる物理定足数資源を具備する記憶サブシステムとを備えるシステムにおいて、前記物理定足数資源が記憶ネットワークの前記コンピュータノードに利用可能である前記記憶ネットワークを形成する方法であって、
前記システムの前記コンピュータノードのそれぞれにより前記記憶サブシステムの前記物理定足数資源についての何れかの現在の所有権を終了させるステップと、
新しい記憶ネットワークの構成情報を更新するために前記システムのそれぞれの他のコンピュータノードをスキャンするステップと、
１つまたは複数の前記コンピュータノードにより前記物理定足数資源の所有権を決定するためにアービトレーション技術を呼び出すステップと、
前記物理定足数資源を備える定足数ボリュームを前記記憶ネットワークに装着するステップとを備えることを特徴とする方法。
【請求項２】  前記現在の所有権を終了させるステップと、前記アービトレーションを呼び出すステップは、第１のモジュールにより実行され、前記それぞれの他のコンピュータノードをスキャンするステップと、前記定足数ボリュームを装着するステップは、前記第１のモジュールと異なる第２のモジュールにより実行されることを特徴とする請求項１に記載の方法。
【請求項３】  前記現在の所有権を終了させるステップは、前記記憶サブシステムへのアクセスをブロックすることを含むことを特徴とする請求項１に記載の方法。
【請求項４】  前記現在の所有権を終了させるステップは、それぞれのコンピュータノードのバスをリセットすることを含むことを特徴とする請求項１に記載の方法。
【請求項５】  前記現在の所有権を終了させるステップは、アービトレーション技術を呼び出す前に所定の遅延期間待機することを含むことを特徴とする請求項１に記載の方法。
【請求項６】  前記記憶ネットワークの前記コンピュータノードにより所有された物理定足数資源を含む前記記憶サブシステムのそれぞれの記憶デバイスを識別するリストを生成するステップを更に備えることを特徴とする請求項１に記載の方法。
【請求項７】  内部構成データベースを再構築するために、前記生成されたリストに含まれるそれぞれの記憶デバイスからの前記ボリューム情報を処理するステップを更に備えることを特徴とする請求項６に記載の方法。
【請求項８】  前記定足数ボリュームを装着するステップは、コンピュータノードが定足数ボリュームに必要な全ての記憶デバイスの所有権を獲得したときのみ実行されることを特徴とする請求項１に記載の方法。
【請求項９】  前記定足数ボリュームを装着するステップは、コンピュータノードが前記物理定足数資源の過半数の所有権を獲得したときのみ実行されることを特徴とする請求項１に記載の方法。
【請求項１０】  前記定足数ボリュームは、１つまたは複数の連結されかつストライプされたエクステントを具備し、
前記定足数ボリュームを装着するステップは、所有権が１より大きい前記連結されかつストライプされたエクステントのために獲得されたときのみ実行されることを特徴とする請求項１に記載の方法。
【請求項１１】  前記定足数ボリュームは、１つまたは複数の連結されかつストライプされたエクステントを具備し、
前記定足数ボリュームを装着するステップは、所有権が前記１つまたは複数の連結されかつストライプされたエクステントの単純な過半数のために獲得されたときのみ実行されることを特徴とする請求項１に記載の方法。
【請求項１２】  複数のコンピュータノードと、１つまたは複数の記憶デバイス内に含まれる物理定足数資源を具備する記憶サブシステムとを備えるシステムで使用するためのコンピュータプログラム製品であって、前記コンピュータプログラム製品はコンピュータ可読媒体を備え、
コンピュータ可読媒体は、前記物理定足数資源が記憶ネットワークの前記コンピュータノードに利用可能である前記記憶ネットワークを形成する方法を実施するコンピュータ実行可能命令を有し、前記方法は、
前記システムの前記コンピュータノードのそれぞれにより前記記憶サブシステムの前記物理定足数資源についての何れかの現在の所有権を終了させるステップと、
新しい記憶ネットワークの構成情報を更新するために前記システムのそれぞれの他のコンピュータノードをスキャンするステップと、
１つまたは複数の前記コンピュータノードにより前記物理定足数資源の所有権を決定するためにアービトレーション技術を呼び出すステップと、
前記物理定足数資源を備える定足数ボリュームを前記記憶ネットワークに装着するステップとを備えることを特徴とするコンピュータプログラム製品。
【請求項１３】  前記現在の所有権を終了させるステップと、前記アービトレーションを呼び出すステップは、第１のモジュールにより実行され、前記それぞれの他のコンピュータノードをスキャンするステップと、前記定足数ボリュームを装着するステップは、前記第１のモジュールと異なる第２のモジュールにより実行されることを特徴とする請求項１２に記載のコンピュータプログラム製品。
【請求項１４】  前記現在の所有権を終了させるステップは、前記記憶サブシステムへのアクセスをブロックすることを含むことを特徴とする請求項１２に記載のコンピュータプログラム製品。
【請求項１５】  前記現在の所有権を終了させるステップは、それぞれのコンピュータノードのバスをリセットすることを含むことを特徴とする請求項１２に記載のコンピュータプログラム製品。
【請求項１６】  前記現在の所有権を終了させるステップは、アービトレーション技術を呼び出す前に所定の遅延期間待機することを含むことを特徴とする請求項１２に記載のコンピュータプログラム製品。
【請求項１７】  前記記憶ネットワークの前記コンピュータノードにより所有された物理定足数資源を含む前記記憶サブシステムのそれぞれの記憶デバイスを識別するリストを生成するステップを更に備えることを特徴とする請求項１２に記載のコンピュータプログラム製品。
【請求項１８】  内部構成データベースを再構築するために、前記生成されたリストに含まれるそれぞれの記憶デバイスからの前記ボリューム情報を処理するステップを更に備えることを特徴とする請求項１７に記載のコンピュータプログラム製品。
【請求項１９】  前記定足数ボリュームを装着するステップは、コンピュータノードが定足数ボリュームに必要な全ての記憶デバイスの所有権を獲得したときのみ実行されることを特徴とする請求項１２に記載のコンピュータプログラム製品。
【請求項２０】  前記定足数ボリュームを装着するステップは、コンピュータノードが前記物理定足数資源の過半数の所有権を獲得したときのみ実行されることを特徴とする請求項１２に記載のコンピュータプログラム製品。
【請求項２１】  前記定足数ボリュームは、１つまたは複数の連結されかつストライプされたエクステントを具備し、
前記定足数ボリュームを装着するステップは、所有権が１より大きい前記連結されかつストライプされたエクステントのために獲得されたときのみ実行されることを特徴とする請求項１２に記載のコンピュータプログラム製品。
【請求項２２】  前記定足数ボリュームは、１つまたは複数の連結されかつストライプされたエクステントを具備し、
前記定足数ボリュームを装着するステップは、所有権が前記１つまたは複数の連結されかつストライプされたエクステントの単純な過半数のために獲得されたときのみ実行されることを特徴とする請求項１２に記載のコンピュータプログラム製品。